【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
所定信号に起因する抽選処理を実行して、その抽選結果に対応する画像演出を表示手段に表示させる遊技機であって、
遊技球が入球可能な第１始動口と、
前記第１始動口への遊技球の入球を第１始動保留球として所定の上限数まで記憶する第１保留記憶手段と、
前記第１保留記憶手段に記憶されている第１始動保留球数を表示する第１保留情報表示手段及び第２保留情報表示手段と、
前記表示手段に表示される前記抽選結果が特別遊技状態となるものであるか否かの画像演出である第１演出パターンを含む複数の演出パターンからなる演出表示態様を記憶する演出表示態様記憶手段と、
遊技の進行に応じて所定のランプ演出を実行するランプ演出実行手段と、を有し、
前記第１保留情報表示手段は、
前記第１保留記憶手段に記憶されている第１始動保留球数を表示させると共に、当該第１始動保留球数を通常態様から特定態様へと変化表示可能にし、
前記図柄の変動中において、所定の条件により、前記第１始動保留球数の表示と非表示を切り替え、
前記第１始動口から当該第１保留情報表示手段に表示される前記第１始動保留球数の上限まで表示された第１始動保留上限表示の外側までを半径Ｒとした円の内側に配置され、
前記第２保留情報表示手段は、
前記図柄の変動中であっても、常に視認可能に前記第１始動保留球数を表示し、
前記第１保留情報表示手段とは異なる位置に配置されると共に、前記円の外側に配置されてなり、
前記第１演出パターンは、
前記表示手段の所定位置に前記抽選結果が特別遊技状態となるものであるか否かの演出内容を表示させ、当該表示手段の表示領域はそのままで前記第１始動保留球数を非表示とし、前記抽選結果を示す装飾図柄に向けて当該演出内容の表示部分を拡大表示し、その後、前記表示手段の表示内容を所定時間停止させると共に、前記ランプ演出も所定時間停止させ、次いで、前記抽選結果が特別遊技状態となるものであるか否かの結果を前記表示手段に表示してなり、
前記表示手段の表示領域はそのままで、前記拡大表示される前記演出内容の表示部分には、前記抽選結果が特別遊技状態となるものであることを示唆する装飾図柄と、前記抽選結果が特別遊技状態とならないものであることを示唆する装飾図柄とが共に表示されてなる遊技機。
【請求項２】
所定信号に起因する抽選処理を実行して、その抽選結果に対応する画像演出を表示手段に表示させる遊技機であって、
遊技球が入球可能な第１始動口と、
前記第１始動口への遊技球の入球を第１始動保留球として所定の上限数まで記憶する第１保留記憶手段と、
前記第１保留記憶手段に記憶されている第１始動保留球数を表示する第１保留情報表示手段及び第２保留情報表示手段と、
前記表示手段に表示される前記抽選結果が特別遊技状態となるものであるか否かの画像演出である第１演出パターンを含む複数の演出パターンからなる演出表示態様を記憶する演出表示態様記憶手段と、
遊技の進行に応じて所定のランプ演出を実行するランプ演出実行手段と、を有し、
前記第１保留情報表示手段は、
前記第１保留記憶手段に記憶されている第１始動保留球数を表示させると共に、当該第１始動保留球数を通常態様から特定態様へと変化表示可能にし、
前記図柄の変動中において、所定の条件により、前記第１始動保留球数の表示と非表示を切り替え、
前記第１始動口から当該第１保留情報表示手段に表示される前記第１始動保留球数の上限まで表示された第１始動保留上限表示の外側までを半径Ｒとした円の内側に配置され、
前記第２保留情報表示手段は、
前記図柄の変動中であっても、常に視認可能に前記第１始動保留球数を表示し、
前記第１保留情報表示手段とは異なる位置に配置されると共に、前記円の内側に配置されてなり、
前記第１演出パターンは、
前記表示手段の所定位置に前記抽選結果が特別遊技状態となるものであるか否かの演出内容を表示させ、当該表示手段の表示領域はそのままで前記第１始動保留球数を非表示とし、前記抽選結果を示す装飾図柄に向けて当該演出内容の表示部分を拡大表示し、その後、前記表示手段の表示内容を所定時間停止させると共に、前記ランプ演出も所定時間停止させ、次いで、前記抽選結果が特別遊技状態となるものであるか否かの結果を前記表示手段に表示してなり、
前記表示手段の表示領域はそのままで、前記拡大表示される前記演出内容の表示部分には、前記抽選結果が特別遊技状態となるものであることを示唆する装飾図柄と、前記抽選結果が特別遊技状態とならないものであることを示唆する装飾図柄とが共に表示されてなる遊技機。
【手続補正２】
【補正対象書類名】明細書
【補正対象項目名】０００７
【補正方法】変更
【補正の内容】
【０００７】
請求項１の発明に係る遊技機によれば、所定信号に起因する抽選処理を実行して、その抽選結果に対応する画像演出を表示手段（図２に示す液晶表示装置４１，図２２に示すメイン液晶表示装置４１ａ参照）に表示させる遊技機であって、
遊技球が入球可能な第１始動口（図２の特別図柄１始動口４４参照）と、
前記第１始動口（図２の特別図柄１始動口４４参照）への遊技球の入球を第１始動保留球として所定の上限数まで記憶する第１保留記憶手段（図３の主制御ＲＡＭ６２０参照）と、
前記第１保留記憶手段（図３の主制御ＲＡＭ６２０参照）に記憶されている第１始動保留球数を表示する第１保留情報表示手段（図４の液晶表示装置４１参照）及び第２保留情報表示手段（図４，図５の始動保留球数表示装置５０参照）と、
前記表示手段（図２に示す液晶表示装置４１，図２２に示すメイン液晶表示装置４１ａ参照）に表示される前記抽選結果が特別遊技状態となるものであるか否かの画像演出である第１演出パターンを含む複数の演出パターンからなる演出表示態様を記憶する演出表示態様記憶手段（図３に示す演出制御ＲＯＭ９１０参照）と、
遊技の進行に応じて所定のランプ演出を実行するランプ演出実行手段（図２１に示すステップＳ６０７参照）と、を有し、
前記第１保留情報表示手段（図４の液晶表示装置４１参照）は、
前記第１保留記憶手段（図３の主制御ＲＡＭ６２０参照）に記憶されている第１始動保留球数を表示させると共に、当該第１始動保留球数を通常態様から特定態様へと変化表示可能にし、
前記図柄の変動中において、所定の条件により、前記第１始動保留球数の表示と非表示を切り替え、
前記第１始動口から当該第１保留情報表示手段（図４の液晶表示装置４１参照）に表示される前記第１始動保留球数の上限まで表示された第１始動保留上限表示の外側までを半径Ｒとした円（Ｃ）の内側に配置され、
前記第２保留情報表示手段（図４，図５の始動保留球数表示装置５０参照）は、
前記図柄の変動中であっても、常に視認可能に前記第１始動保留球数を表示し、
前記第１保留情報表示手段（図４の液晶表示装置４１参照）とは異なる位置に配置されると共に、前記円（Ｃ）の外側に配置されてなり、
前記第１演出パターン（図１０に示す液晶表示装置４１の表示内容参照）は、
前記表示手段（図２に示す液晶表示装置４１，図２２に示すメイン液晶表示装置４１ａ参照）の所定位置（図１０に示す円Ｃ３０参照）に前記抽選結果が特別遊技状態となるものであるか否かの演出内容（図１０に示す画像表示Ｐ８０ｃ，キャラクタＣＨ１０参照）を表示させ、当該表示手段（図２に示す液晶表示装置４１，図２２に示すメイン液晶表示装置４１ａ参照）の表示領域はそのままで前記第１始動保留球数を非表示とし、前記抽選結果を示す装飾図柄（図１０に示す画像表示Ｐ８０ｃ参照）に向けて当該演出内容の表示部分を拡大表示し、その後、前記表示手段（図２に示す液晶表示装置４１，図２２に示すメイン液晶表示装置４１ａ参照）の表示内容を所定時間停止させると共に、前記ランプ演出も所定時間停止させ、次いで、前記抽選結果が特別遊技状態となるものであるか否かの結果を前記表示手段（図２に示す液晶表示装置４１，図２２に示すメイン液晶表示装置４１ａ参照）に表示してなり、
前記表示手段（図２に示す液晶表示装置４１，図２２に示すメイン液晶表示装置４１ａ参照）の表示領域はそのままで、前記拡大表示される前記演出内容の表示部分には、前記抽選結果が特別遊技状態となるものであることを示唆する装飾図柄（図１０に示すキャラクタＣＨ１０に重なっている数字「７」参照）と、前記抽選結果が特別遊技状態とならないものであることを示唆する装飾図柄（図１０に示す画像表示Ｐ８０ｃ参照）とが共に表示されてなることを特徴としている。
【手続補正３】
【補正対象書類名】明細書
【補正対象項目名】０００８
【補正方法】変更
【補正の内容】
【０００８】
また、請求項２の発明に係る遊技機によれば、所定信号に起因する抽選処理を実行して、その抽選結果に対応する画像演出を表示手段（図２に示す液晶表示装置４１，図２２に示すメイン液晶表示装置４１ａ参照）に表示させる遊技機であって、
遊技球が入球可能な第１始動口（図２の特別図柄１始動口４４参照）と、
前記第１始動口（図２の特別図柄１始動口４４参照）への遊技球の入球を第１始動保留球として所定の上限数まで記憶する第１保留記憶手段（図３の主制御ＲＡＭ６２０参照）と、
前記第１保留記憶手段（図３の主制御ＲＡＭ６２０参照）に記憶されている第１始動保留球数を表示する第１保留情報表示手段（図４の液晶表示装置４１参照）及び第２保留情報表示手段（図４，図５の始動保留球数表示装置５０参照）と、
前記表示手段（図２に示す液晶表示装置４１，図２２に示すメイン液晶表示装置４１ａ参照）に表示される前記抽選結果が特別遊技状態となるものであるか否かの画像演出である第１演出パターンを含む複数の演出パターンからなる演出表示態様を記憶する演出表示態様記憶手段（図３に示す演出制御ＲＯＭ９１０参照）と、
遊技の進行に応じて所定のランプ演出を実行するランプ演出実行手段（図２１に示すステップＳ６０７参照）と、を有し、
前記第１保留情報表示手段（図４の液晶表示装置４１参照）は、
前記第１保留記憶手段（図３の主制御ＲＡＭ６２０参照）に記憶されている第１始動保留球数を表示させると共に、当該第１始動保留球数を通常態様から特定態様へと変化表示可能にし、
前記図柄の変動中において、所定の条件により、前記第１始動保留球数の表示と非表示を切り替え、
前記第１始動口から当該第１保留情報表示手段（図４の液晶表示装置４１参照）に表示される前記第１始動保留球数の上限まで表示された第１始動保留上限表示の外側までを半径Ｒとした円（Ｃ）の内側に配置され、
前記第２保留情報表示手段（図４，図５の始動保留球数表示装置５０参照）は、
前記図柄の変動中であっても、常に視認可能に前記第１始動保留球数を表示し、
前記第１保留情報表示手段（図４の液晶表示装置４１参照）とは異なる位置に配置されると共に、前記円（Ｃ）の内側に配置されてなり、
前記第１演出パターン（図１０に示す液晶表示装置４１の表示内容参照）は、
前記表示手段（図２に示す液晶表示装置４１，図２２に示すメイン液晶表示装置４１ａ参照）の所定位置（図１０に示す円Ｃ３０参照）に前記抽選結果が特別遊技状態となるものであるか否かの演出内容（図１０に示す画像表示Ｐ８０ｃ，キャラクタＣＨ１０参照）を表示させ、当該表示手段（図２に示す液晶表示装置４１，図２２に示すメイン液晶表示装置４１ａ参照）の表示領域はそのままで前記第１始動保留球数を非表示とし、前記抽選結果を示す装飾図柄（図１０に示す画像表示Ｐ８０ｃ参照）に向けて当該演出内容の表示部分を拡大表示し、その後、前記表示手段（図２に示す液晶表示装置４１，図２２に示すメイン液晶表示装置４１ａ参照）の表示内容を所定時間停止させると共に、前記ランプ演出も所定時間停止させ、次いで、前記抽選結果が特別遊技状態となるものであるか否かの結果を前記表示手段（図２に示す液晶表示装置４１，図２２に示すメイン液晶表示装置４１ａ参照）に表示してなり、
前記表示手段（図２に示す液晶表示装置４１，図２２に示すメイン液晶表示装置４１ａ参照）の表示領域はそのままで、前記拡大表示される前記演出内容の表示部分には、前記抽選結果が特別遊技状態となるものであることを示唆する装飾図柄（図１０に示すキャラクタＣＨ１０に重なっている数字「７」参照）と、前記抽選結果が特別遊技状態とならないものであることを示唆する装飾図柄（図１０に示す画像表示Ｐ８０ｃ参照）とが共に表示されてなることを特徴としている。